(57)【特許請求の範囲】
【請求項１】
アナログ正相信号を増幅する第１アンプと、
アナログ正相信号、あるいは前記アナログ正相信号の位相を反転させたアナログ逆相信号のいずれかを選択的に増幅する第２アンプと、
前記第１アンプからの出力とグラウンドとを選択的に切り替えてバランスＨＯＴ端子に出力する第１切替スイッチと、
前記第２アンプからの出力とグラウンドとを選択的に切り替えてバランスＣＯＬＤ端子に出力する第２切替スイッチと、
前記第２アンプからの出力とグラウンドとを選択的に切り替えてアンバランス端子に出力する第３切替スイッチと、
前記第１アンプからの出力とグラウンドとを選択的に切り替えて前記アンバランス端子に出力する第４切替スイッチと、
を備えることを特徴とするバランス／アンバランス信号出力回路。
【請求項２】
請求項１記載のバランス／アンバランス信号出力回路において、
バランス出力の場合に、
前記第２アンプは、前記アナログ逆相信号を増幅し、
前記第１切替スイッチは、前記第１アンプからの出力を前記バランスＨＯＴ端子に出力し、
前記第２切替スイッチは、前記第２アンプからの出力を前記バランスＣＯＬＤ端子に出力し、
前記第３切替スイッチ及び第４切替スイッチは、ともにグラウンドに切り替えられ、
アンバランス出力の場合に、
前記第２アンプは、前記アナログ正相信号を増幅し、
前記第１切替スイッチ及び第２切替スイッチは、ともにグラウンドに切り替えられ、
前記第３切替スイッチは、前記第２アンプからの出力を前記アンバランス端子に出力し、
前記第４切替スイッチは、前記第１アンプからの出力を前記アンバランス端子に出力する
ことを特徴とするバランス／アンバランス信号出力回路。
【請求項３】
請求項２記載のバランス／アンバランス信号出力回路において、
前記第２アンプの前段に設けられ、前記アナログ正相信号の位相を反転してアナログ逆相信号を出力する反転素子と、
前記アナログ正相信号と、前記反転素子からの前記アナログ逆相信号とを選択的に切り替えて前記第２アンプに出力する第５切替スイッチと、
を備えることを特徴とするバランス／アンバランス信号出力回路。
【請求項４】
請求項２記載のバランス／アンバランス信号出力回路において、
デジタルデータをアナログ正相信号に変換して前記第１アンプに出力する第１Ｄ／Ａコンバータと、
前記デジタルデータあるいは前記デジタルデータを反転した反転デジタルデータのいずれかを選択的に変換してアナログ正相信号あるいはアナログ逆相信号を前記第２アンプに出力する第２Ｄ／Ａコンバータと、
を備えることを特徴とするバランス／アンバランス信号出力回路。
【請求項５】
請求項４記載のバランス／アンバランス信号出力回路において、
前記第２Ｄ／Ａコンバータの前段に設けられ、前記デジタルデータを反転する反転素子と、
前記デジタルデータと、前記反転素子からの反転デジタルデータとを選択的に切り替えて前記第２Ｄ／Ａコンバータに出力する第５切替スイッチと、
を備えることを特徴とするバランス／アンバランス信号出力回路。
【発明の詳細な説明】
【技術分野】
【０００１】
本発明は、バランス／アンバランス信号出力回路に関する。
【背景技術】
【０００２】
従来から、オーディオ装置においてバランス信号とアンバランス信号を出力する回路が知られている。
【０００３】
図６及び図７に、バランス信号とアンバランス信号を出力する回路構成の一例を示す。図６は、Ｄ／Ａコンバータから正相信号を出力する場合の構成であり、図７は、Ｄ／Ａコンバータから正相信号及び逆相信号を出力する場合の構成である。
【０００４】
図６において、Ｄ／Ａコンバータ１００から正相信号ＤＡＣ＋が出力される。正相信号ＤＡＣ＋は、アンプ１０２，１０４，１０６にそれぞれ供給される。アンプ１０４は反転アンプである。アンプ１０２，１０４，１０６の出力端にはそれぞれ切替スイッチ１０８，１１０，１１２が接続され、グラウンドとアンプ１０２，１０４，１０６の出力端とを切り替えて出力する。切替スイッチ１０８をアンプ１０２側に切り替えることでバランスＨＯＴ信号が出力される。また、切替スイッチ１１０をアンプ１０４側に切り替えることでバランスＣＯＬＤ信号が出力される。さらに、切替スイッチ１１２をアンプ１０６側に切り替えることでアンバランス信号が出力される。従って、バランス信号を出力する場合には、切替スイッチ１０８，１１０をそれぞれアンプ１０２，１０４側に切り替えると共に、切替スイッチ１１２をグラウンド側に切り替える。また、アンバランス信号を出力する場合には、切替スイッチ１０８，１１０をそれぞれグラウンド側に切り替えると共に、切替スイッチ１１２をアンプ１０６側に切り替える。
【０００５】
図７において、Ｄ／Ａコンバータ１００から正相信号ＤＡＣ＋及びその位相を１８０°反転させた逆相信号ＤＡＣ−が出力される。正相信号ＤＡＣ＋は、アンプ１０２，１０５にそれぞれ供給される。また、逆相信号ＤＡＣ−は、アンプ１０３，１０５にそれぞれ供給される。アンプ１０５は差動アンプであり、正相信号ＤＡＣ＋と逆相信号ＤＡＣ−の差動を演算して出力する。アンプ１０２，１０３，１０５の出力端にはそれぞれ切替スイッチ１０８，１１０，１１２が接続され、グラウンドとアンプ１０２，１０３，１０５の出力端とを切り替えて出力する。切替スイッチ１０８をアンプ１０２側に切り替えることでバランスＨＯＴ信号が出力される。また、切替スイッチ１１０をアンプ１０３側に切り替えることでバランスＣＯＬＤ信号が出力される。さらに、切替スイッチ１１２をアンプ１０５側に切り替えることでアンバランス信号が出力される。従って、バランス信号を出力する場合には、切替スイッチ１０８，１１０をそれぞれアンプ１０２，１０３側に切り替えると共に、切替スイッチ１１２をグラウンド側に切り替える。また、アンバランス信号を出力する場合には、切替スイッチ１０８，１１０をそれぞれグラウンド側に切り替えると共に、切替スイッチ１１２をアンプ１０５側に切り替える。
【０００６】
なお、下記の特許文献１には、バランス入力とアンバランス入力の端子を共通化し、手動操作によるスイッチの切替によりバランス入力とアンバランス入力を切り替えることが開示されている。
【０００７】
また、特許文献２には、ピンプラグの挿抜によりバランス接続とアンバランス接続を切り替えることが開示されている。
【先行技術文献】
【特許文献】
【０００８】
【特許文献１】特許第３１４８５３２号
【特許文献２】実公平０３−００５１１６号公報
【発明の概要】
【発明が解決しようとする課題】
【０００９】
図６の構成では、バランスＨＯＴ信号とバランスＣＯＬＤ信号を出力するために、非反転アンプ１０２と反転アンプ１０４を用いることになり、ＨＯＴとＣＯＬＤで違う構成のアンプが用いられることからバランス出力の対称性が問題となる。
【００１０】
また、図７の構成では、バランスＨＯＴ信号とバランスＣＯＬＤ信号を出力するために、ともに非反転アンプ１０２，１０３を用いることになるから対称性の問題はないものの、３つのアンプが必要となるため構成が複雑化するとともに部品点数の増大によるコスト増加を招く。特に、アンバランス出力において、出力動作に寄与するのは差動アンプ１０５のみであり、アンプ１０２，１０３はアンバランス出力には全く寄与しないことから無駄な回路となる。
【００１１】
本発明の目的は、バランス出力の対称性を維持しつつ、簡易な構成でバランス信号とアンバランス信号を切り替えて出力することができる回路を提供することにある。
【課題を解決するための手段】
【００１２】
本発明のバランス／アンバランス信号出力回路は、アナログ正相信号を増幅する第１アンプと、アナログ正相信号、あるいは前記アナログ正相信号の位相を反転させたアナログ逆相信号のいずれかを選択的に増幅する第２アンプと、前記第１アンプからの出力とグラウンドとを選択的に切り替えてバランスＨＯＴ端子に出力する第１切替スイッチと、前記第２アンプからの出力とグラウンドとを選択的に切り替えてバランスＣＯＬＤ端子に出力する第２切替スイッチと、前記第２アンプからの出力とグラウンドとを選択的に切り替えてアンバランス端子に出力する第３切替スイッチと、前記第１アンプからの出力とグラウンドとを選択的に切り替えて前記アンバランス端子に出力する第４切替スイッチとを備えることを特徴とする。
【００１３】
本発明の１つの実施形態では、バランス出力の場合に、前記第２アンプは、前記アナログ逆相信号を増幅し、前記第１切替スイッチは、前記第１アンプからの出力を前記バランスＨＯＴ端子に出力し、前記第２切替スイッチは、前記第２アンプからの出力を前記バランスＣＯＬＤ端子に出力し、前記第３切替スイッチ及び第４切替スイッチは、ともにグラウンドに切り替えられ、アンバランス出力の場合に、前記第２アンプは、前記アナログ正相信号を増幅し、前記第１切替スイッチ及び第２切替スイッチは、ともにグラウンドに切り替えられ、前記第３切替スイッチは、前記第２アンプからの出力を前記アンバランス端子に出力し、前記第４切替スイッチは、前記第１アンプからの出力を前記アンバランス端子に出力する。
【００１４】
また、本発明の他の実施形態では、前記第２アンプの前段に設けられ、前記アナログ正相信号の位相を反転してアナログ逆相信号を出力する反転素子と、前記アナログ正相信号と、前記反転素子からの前記アナログ逆相信号とを選択的に切り替えて前記第２アンプに出力する第５切替スイッチとを備える。
【００１５】
また、本発明の他の実施形態では、デジタルデータをアナログ正相信号に変換して前記第１アンプに出力する第１Ｄ／Ａコンバータと、前記デジタルデータあるいは前記デジタルデータを反転した反転デジタルデータのいずれかを選択的に変換してアナログ正相信号あるいはアナログ逆相信号を前記第２アンプに出力する第２Ｄ／Ａコンバータとを備える。
また、本発明のさらに他の実施形態では、前記第２Ｄ／Ａコンバータの前段に設けられ、前記デジタルデータを反転する反転素子と、前記デジタルデータと、前記反転素子からの反転デジタルデータとを選択的に切り替えて前記第２Ｄ／Ａコンバータに出力する第５切替スイッチとを備える。
【発明の効果】
【００１６】
本発明によれば、バランス出力の対称性を維持しつつ、簡易な構成で無駄なくバランス信号とアンバランス信号を切り替えて出力することができる。
【図面の簡単な説明】
【００１７】
【図１】第１実施形態のＬチャンネルの回路構成図である。
【図２】第１実施形態におけるバランス出力時の回路構成図である。
【図３】第１実施形態におけるアンバランス出力時の回路構成図である。
【図４】第２実施形態のＬチャンネルの回路構成図である。
【図５】第３実施形態のＬチャンネルの回路構成図である。
【図６】従来の回路構成図である。
【図７】従来の回路構成図である。
【発明を実施するための形態】
【００１８】
以下、図面に基づき本発明の実施形態について説明する。
【００１９】
＜第１実施形態＞
図１に、本実施形態におけるバランス／アンバランス信号出力回路の回路構成を示す。本実施形態の回路は、例えばオーディオシステムにおけるデジタルアナログコンバータ装置（ＤＡＣコンポーネント）に組み込むことができる。
【００２０】
図１は、Ｌチャンネル及びＲチャンネルの回路構成のうち、Ｌチャンネルの回路構成を示したものである。Ｒチャンネルの回路構成もＬチャンネルと同様であることから、その説明は省略する。
【００２１】
図１において、Ｌチャンネルのデジタルオーディオデータに対し、２個のＤ／Ａコンバータ１０，１２が設けられる。Ｄ／Ａコンバータ（第１Ｄ／Ａコンバータ）１０には、デジタルオーディオデータ（正相）が供給されるとともに、ワードクロック及びビットクロックの各クロック信号が供給される。
【００２２】
また、Ｄ／Ａコンバータ（第２Ｄ／Ａコンバータ）１２には、デジタルオーディオ信号（正相）が反転素子１３及び切替スイッチ１４を介して供給されるとともに、ワードクロック及びビットクロックの各クロック信号が供給される。切替スイッチ１４は、ａ接点及びｂ接点を有し、ａ接点側に切り替わるとデジタルオーディオデータ（正相）を反転素子１３で反転したデジタルオーディオデータ（逆相）がＤ／Ａコンバータ１２に供給され、ｂ接点側に切り替わるとデジタルオーディオデータ（正相）がそのままＤ／Ａコンバータ１２に供給される。
【００２３】
Ｄ／Ａコンバータ１０の出力端子には、アンプ（第１アンプ）１６が接続され、アンプ１６の出力端はさらに切替スイッチ２０，２６に接続される。
【００２４】
Ｄ／Ａコンバータ１２の出力端子には、アンプ（第２アンプ）１８が接続され、アンプ１８の出力端はさらに切替スイッチ２２，２４に接続される。
【００２５】
切替スイッチ（第１切替スイッチ）２０は、アンプ１６側とグラウンド側を切り替えるスイッチであり、その出力端はバランスＨＯＴ出力端子に接続される。
【００２６】
切替スイッチ（第２切替スイッチ）２２は、アンプ１８側とグラウンド側を切り替えるスイッチであり、その出力端はバランスＣＯＬＤ出力端子に接続される。
【００２７】
切替スイッチ（第３切替スイッチ）２４は、アンプ１８側とグラウンド側を切り替えるスイッチであり、その出力端はアンバランス出力端子に接続される。
【００２８】
切替スイッチ（第４切替スイッチ）２６は、アンプ１６側とグラウンド側を切り替えるスイッチであり、その出力端は切替スイッチ２４と同様にアンバランス出力端子に接続される。
【００２９】
切替スイッチ２０，２２，２４，２６は、ミュート回路を兼ねており、ユーザがミュートを希望する場合にはその接点を全てグラウンド側に切り替える。
【００３０】
また、切替スイッチ（第５切替スイッチ）１４と切替スイッチ２０，２２，２４，２６は連動しており、ユーザは単一の手動操作スイッチを切り替えることでこれらの切替スイッチ１４，２０，２２，２４，２６が連動して切り替わる。
【００３１】
以下、バランス信号を出力する場合と、アンバランス信号を出力する場合に分けて本実施形態における回路の動作を説明する。
【００３２】
図２に、バランス出力する場合の回路構成を示す。切替スイッチ１４はａ接点側、すなわち反転素子１３側に切り替わる。また、切替スイッチ２０はアンプ１６側、切替スイッチ２２はアンプ１８側、切替スイッチ２４，２６はともにグラウンド側に切り替わる。
【００３３】
Ｄ／Ａコンバータ１０には、デジタルオーディオデータ（正相）が供給される。Ｄ／Ａコンバータ１０は、デジタルオーディオデータをアナログ信号に変換し、アナログ正相信号としてアンプ１６に出力する。アンプ１６は、アナログ正相信号を増幅し、切替スイッチ２０，２６に出力する。
【００３４】
Ｄ／Ａコンバータ１２には、反転素子１３で反転されたデジタルオーディオデータ、すなわちデジタルオーディオデータ（逆相）が供給される。Ｄ／Ａコンバータ１２は、デジタルオーディオデータ（逆相）をアナログ信号に変換し、アナログ逆相信号としてアンプ１８に出力する。アンプ１８は、アナログ逆相信号を増幅し、切替スイッチ２２，２４に出力する。
【００３５】
切替スイッチ２０はアンプ１６側、切替スイッチ２２はアンプ１８側に接点が切り替わっているので、切替スイッチ２０はアンプ１６からのアナログ正相信号をバランスＨＯＴ端子に出力し、切替スイッチ２２はアンプ１８からのアナログ逆相信号をバランスＣＯＬＤ端子に出力する。一方、切替スイッチ２４，２６はともにグラウンド側に切り替わっているので、ミュート状態にあり信号は出力されない。
【００３６】
以上のように、バランスＨＯＴ端子からアナログ正相信号が出力され、バランスＣＯＬＤ端子からアナログ逆相信号が出力される。アンバランス端子からは出力されないが、２つのアンプ１６，１８はともにバランス出力のために動作している点に着目されたい。さらに、バランス出力のためのアンプ１６，１８はともに同一アンプであるため、一方を非反転アンプ、他方を反転アンプとする場合に生じ得る対称性のずれも生じない。
【００３７】
図３に、アンバランス出力する場合の回路構成を示す。切替スイッチ１４はｂ接点側に切り替わる。また、切替スイッチ２０，２２はグラウンド側、切替スイッチ２４はアンプ１８側、切替スイッチ２６はアンプ１６側に切り替わる。
【００３８】
Ｄ／Ａコンバータ１０には、デジタルオーディオデータ（正相）が供給される。Ｄ／Ａコンバータ１０は、デジタルオーディオデータをアナログ信号に変換し、アナログ正相信号としてアンプ１６に出力する。アンプ１６は、アナログ正相信号を増幅し、切替スイッチ２０，２６に出力する。
【００３９】
Ｄ／Ａコンバータ１２にも、デジタルオーディオデータ（正相）が供給される。Ｄ／Ａコンバータ１２は、デジタルオーディオデータ（正相）をアナログ信号に変換し、アナログ正相信号としてアンプ１８に出力する。アンプ１８は、アナログ逆相信号を増幅し、切替スイッチ２２，２４に出力する。
【００４０】
切替スイッチ２０，２２はグラウンド側に切り替わっているので、ミュート状態にあり信号は出力されない。切替スイッチ２４はアンプ１８からのアナログ正相信号をアンバランス端子に出力し、切替スイッチ２６はアンプ１６からのアナログ正相信号をアンバランス端子に出力する。
【００４１】
以上のように、アンバランス端子からアナログ正相信号が出力される。バランス端子からは出力されないが、２つのアンプ１６，１８はともにアンバランス出力のために動作しており、しかも２つのアンプ１６，１８でともにアナログ正相信号を増幅して出力しており、ドライブ性能が実質的に２倍となっている点に着目されたい。
【００４２】
なお、本実施形態では、バランス信号とアンバランス信号が選択的に出力され、バランス信号とアンバランス信号が同時に出力されることはないが、バランス信号とアンバランス信号を同時に使用する場合は極めて稀であることから、実用上は問題は生じない。また、バランス信号とアンバランス信号が選択的に出力されるため、たとえバランス端子とアンバランス端子に同時にケーブル等を接続しても、互いに影響を及ぼすことはない。
【００４３】
＜第２実施形態＞
上記の第１実施形態では、Ｄ／Ａコンバータ１０，１２を用いているが、必ずしもＤ／Ａコンバータを用いる必要はない。
【００４４】
図４に、本実施形態におけるバランス／アンバランス信号出力回路の回路構成を示す。本実施形態の回路は、２つのアンプ１６，１８、反転素子１４、切替スイッチ１４，２０，２２，２４，２６から構成される。
【００４５】
アナログ正相信号は、アンプ１６に供給される。また、アナログ正相信号は、反転素子１３及び切替スイッチ１４を介してアンプ１８に供給される。
【００４６】
アンプ（第１アンプ）１６の出力端は、切替スイッチ２０，２６に接続される。また、アンプ（第２アンプ）１８の出力端は、切替スイッチ２２，２４に接続される。
【００４７】
切替スイッチ（第１切替スイッチ）２０は、アンプ１６側とグラウンド側を切り替えるスイッチであり、その出力端はバランスＨＯＴ出力端子に接続される。
【００４８】
切替スイッチ（第２切替スイッチ）２２は、アンプ１８側とグラウンド側を切り替えるスイッチであり、その出力端はバランスＣＯＬＤ出力端子に接続される。
【００４９】
切替スイッチ（第３切替スイッチ）２４は、アンプ１８側とグラウンド側を切り替えるスイッチであり、その出力端はアンバランス出力端子に接続される。
【００５０】
切替スイッチ（第４切替スイッチ）２６は、アンプ１６側とグラウンド側を切り替えるスイッチであり、その出力端は切替スイッチ２４と同様にアンバランス出力端子に接続される。
【００５１】
切替スイッチ２０，２２，２４，２６は、ミュート回路を兼ねており、ユーザがミュートを希望する場合にはその接点を全てグラウンド側に切り替える。
【００５２】
また、切替スイッチ（第５切替スイッチ）１４と切替スイッチ２０，２２，２４，２６は連動しており、ユーザは単一の手動操作スイッチを切り替えることでこれらの切替スイッチ１４，２０，２２，２４，２６が連動して切り替わる。
【００５３】
アンプ１６，１８、及び切替スイッチ２０〜２６の構成は第１実施形態と同様である。
【００５４】
バランス出力する場合、切替スイッチ１４がａ接点側に切り替わる。また、切替スイッチ２０，２２がそれぞれアンプ１６、１８側に切り替わり、切替スイッチ２４，２６がグラウンド側に切り替わる。
【００５５】
アンプ１６は、アナログ正相信号を増幅して切替スイッチ２０、２６に出力する。また、アンプ１８には、反転素子１３からのアナログ逆相信号が供給され、アンプ１８は、アナログ逆相信号を増幅して切替スイッチ２２，２４に出力する。
【００５６】
切替スイッチ２０は、アンプ１６からのアナログ正相信号をバランスＨＯＴ端子に出力する。また、切替スイッチ２２は、アンプ１８からのアナログ逆相信号をバランスＣＯＬＤ端子に出力する。切替スイッチ２４，２６はグラウンド側に切り替わっているので、ミュート状態にあり信号を出力しない。
【００５７】
アンバランス出力する場合、切替スイッチ１４がｂ接点側に切り替わる。また、切替スイッチ２０，２２がグラウンド側に切り替わり、切替スイッチ２４，２６がそれぞれアンプ１８、１６側に切り替わる。
【００５８】
アンプ１６は、アナログ正相信号を増幅して切替スイッチ２０、２６に出力する。また、アンプ１８にも、アナログ正相信号が供給され、アンプ１８は、アナログ正相信号を増幅して切替スイッチ２２，２４に出力する。
【００５９】
切替スイッチ２０，２２は、グラウンド側に切り替わっているので、ミュート状態にあり信号を出力しない。切替スイッチ２４は、アンプ１８からのアナログ正相信号をアンバランス端子に出力する。また、切替スイッチ２６は、アンプ１６からのアナログ正相信号をアンバランス端子に出力する。
【００６０】
本実施形態においても、バランス出力、アンバランス出力のいずれも、アンプ１６，１８が動作しており無駄となっていない。また、バランス出力の場合でも、バランスＨＯＴとバランスＣＯＬＤはともに同一のアンプ１６，１８からの出力であるため、対称性が維持される。さらに、アンバランス出力の場合、２つのアンプ１６，１８を用いてバランス出力を生成しているので、ドライブ性能が向上する。
【００６１】
＜第３実施形態＞
図５に、本実施形態におけるバランス／アンバランス信号出力回路の回路構成を示す。本実施形態の回路は、２つのアンプ１６，１８、切替スイッチ２０，２２，２４，２６及び切替スイッチ２８，３０から構成される。
【００６２】
アナログ正相信号は、アンプ１６に供給されるとともに、切替スイッチ２８を介してアンプ１８に供給される。また、アナログ逆相信号は、切替スイッチ３０を介してアンプ１８に供給される。
【００６３】
アンプ（第１アンプ）１６の出力端は、切替スイッチ２０、２６に接続される。また、アンプ（第２アンプ）１８の出力端は、切替スイッチ２２，２４に接続される。
【００６４】
切替スイッチ（第１切替スイッチ）２０は、アンプ１６側とグラウンド側を切り替えるスイッチであり、その出力端はバランスＨＯＴ出力端子に接続される。
【００６５】
切替スイッチ２２（第２切替スイッチ）は、アンプ１８側とグラウンド側を切り替えるスイッチであり、その出力端はバランスＣＯＬＤ出力端子に接続される。
【００６６】
切替スイッチ（第３切替スイッチ）２４は、アンプ１８側とグラウンド側を切り替えるスイッチであり、その出力端はアンバランス出力端子に接続される。
【００６７】
切替スイッチ（第４切替スイッチ）２６は、アンプ１６側とグラウンド側を切り替えるスイッチであり、その出力端は切替スイッチ２４と同様にアンバランス出力端子に接続される。
【００６８】
切替スイッチ２０，２２，２４，２６は、ミュート回路を兼ねており、ユーザがミュートを希望する場合にはその接点を全てグラウンド側に切り替える。
【００６９】
また、切替スイッチ２８，３０と切替スイッチ２０，２２，２４，２６は連動しており、ユーザは単一の手動操作スイッチを切り替えることでこれらの切替スイッチ２０，２２，２４，２６，２８，３０が連動して切り替わる。切替スイッチ２８、３０は択一的に開閉し、切替スイッチ２８がオン状態のときには切替スイッチ３０はオフ状態にあり、切替スイッチ２８がオフ状態のときには切替スイッチ３０はオン状態にある。
【００７０】
アンプ１６，１８、及び切替スイッチ２０〜２６の構成は第１実施形態と同様である。
【００７１】
バランス出力する場合、切替スイッチ２８がオフ状態、切替スイッチ３０がオン状態となる。また、切替スイッチ２０，２２がそれぞれアンプ１６、１８側に切り替わり、切替スイッチ２４，２６がグラウンド側に切り替わる。
【００７２】
アンプ１６は、アナログ正相信号を増幅して切替スイッチ２０、２６に出力する。また、アンプ１８には、切替スイッチ３０を介してアナログ逆相信号が供給され、アンプ１８は、アナログ逆相信号を増幅して切替スイッチ２２，２４に出力する。
【００７３】
切替スイッチ２０は、アンプ１６からのアナログ正相信号をバランスＨＯＴ端子に出力する。また、切替スイッチ２２は、アンプ１８からのアナログ逆相信号をバランスＣＯＬＤ端子に出力する。切替スイッチ２４，２６はグラウンド側に切り替わっているので、ミュート状態にあり信号を出力しない。
【００７４】
アンバランス出力する場合、切替スイッチ２８がオン状態、切替スイッチ３０がオフ状態となる。また、切替スイッチ２０，２２がグラウンド側に切り替わり、切替スイッチ２４，２６がそれぞれアンプ１８、１６側に切り替わる。
【００７５】
アンプ１６は、アナログ正相信号を増幅して切替スイッチ２０、２６に出力する。また、アンプ１８にも、切替スイッチ２８を介してアナログ正相信号が供給され、アンプ１８は、アナログ正相信号を増幅して切替スイッチ２２，２４に出力する。
【００７６】
切替スイッチ２０，２２は、グラウンド側に切り替わっているので、ミュート状態にあり信号を出力しない。切替スイッチ２４は、アンプ１８からのアナログ正相信号をアンバランス端子に出力する。また、切替スイッチ２６は、アンプ１６からのアナログ正相信号をアンバランス端子に出力する。
【００７７】
本実施形態においても、バランス出力、アンバランス出力のいずれも、アンプ１６，１８が動作しており無駄となっていない。また、バランス出力の場合でも、バランスＨＯＴとバランスＣＯＬＤはともに同一のアンプ１６，１８からの出力であるため、対称性が維持される。さらに、アンバランス出力の場合、２つのアンプ１６，１８を用いてバランス出力を生成しているので、ドライブ性能が向上する。
【００７８】
なお、第１〜第３実施形態のバランス／アンバランス信号出力回路は、バランス出力とアンバランス出力を備える装置であれば、そのいずれかの実施形態が適用可能である。
【符号の説明】
【００７９】
１０，１２  Ｄ／Ａコンバータ、１３  反転素子、１４  切替スイッチ、１６，１８  アンプ、２０，２２，２４，２６，２８，３０  切替スイッチ。
【図１】
0005699823.tif 000002
【図２】
0005699823.tif 000003
【図３】
0005699823.tif 000004
【図４】
0005699823.tif 000005
【図５】
0005699823.tif 000006
【図６】
0005699823.tif 000007
【図７】
0005699823.tif 000008